【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
ワイヤレス通信リンクを介して通信するように構成されたデバイスであって、
受信デバイスに複数のプロトコルデータユニット(PDU)を送信し、
前記受信デバイスによって確認応答されていないPDUのセットを順序付け、
前記受信デバイスによって確認応答されていない前記PDUに割り当てられた番号であるPDUインデックスであって、前記順序付けられたセットおよび前記PDUインデックスに基づき、前記セットから第1のPDUを選択し、
第1のポールインジケータとともに選択された前記第1のPDUを再送信し、
前記PDUインデックスを変更されたPDUインデックスに変更し、
前記順序付けられたセットおよび前記変更されたPDUインデックスに基づいて、前記セットから前記第1のPDUと異なる第2のPDUを選択し、
第2のポールインジケータとともに選択された前記第2のPDUを再送信するように構成されたプロセッサを備える、デバイス。
【請求項２】
前記PDUが、前記PDUの元の送信時間に基づいて選択される、請求項1に記載のデバイス。
【請求項３】
前記PDUが、前記PDUの最も最近の送信時間に基づいて選択される、請求項1に記載のデバイス。
【請求項４】
前記確認応答されていないPDUが、最も最近でない送信時間から最も最近の送信時間へと順序付けられ、前記PDUインデックスを変更するステップが前記PDUインデックスを増分するステップを含む、請求項1に記載のデバイス。
【請求項５】
前記確認応答されていないPDUが、最も最近の送信時間から最も最近でない送信時間へと順序付けられ、前記PDUインデックスを変更するステップが前記PDUインデックスを減分するステップを含む、請求項1に記載のデバイス。
【請求項６】
前記確認応答されていないPDUがランダムに順序付けられる、請求項1に記載のデバイス。
【請求項７】
前記選択するステップが、タイマーの満了に応答するものである、請求項1に記載のデバイス。
【請求項８】
前記再送信するステップが、タイマーの満了に応答するものである、請求項1に記載のデバイス。
【請求項９】
前記プロセッサが、前記受信デバイスに第2の複数のPDUを送信し、前記受信デバイスによって確認応答されていない前記PDUのセットに前記第2の複数のPDUを追加するようにさらに構成される、請求項1に記載のデバイス。
【請求項１０】
前記第1および第2のポールインジケータのうちの少なくとも1つが、パケットヘッダフィールド内に1ビットを含む、請求項1に記載のデバイス。
【請求項１１】
前記ワイヤレス通信リンクが、ユニバーサルモバイル電気通信システムを備える、請求項1に記載のデバイス。
【請求項１２】
前記ワイヤレス通信リンクが3Gシステムを備える、請求項1に記載のデバイス。
【請求項１３】
ワイヤレス通信の方法であって、
受信デバイスに複数のPDUを送信するステップと、
前記受信デバイスによって確認応答されていないPDUのセットを順序付けるステップと、
前記受信デバイスによって確認応答されていない前記PDUに割り当てられた番号であるPDUインデックスであって、前記順序付けられたセットおよび前記PDUインデックスに基づき、前記セットから第1のPDUを選択するステップと、
第1のポールインジケータとともに選択された前記第1のPDUを再送信するステップと、
前記PDUインデックスを変更されたPDUインデックスに変更するステップと、
前記順序付けられたセットおよび前記変更されたPDUインデックスに基づいて、前記セットから前記第1のPDUと異なる第2のPDUを選択するステップと、
第2のポールインジケータとともに選択された前記第2のPDUを再送信するステップとを含む、方法。
【請求項１４】
前記PDUが、前記PDUの元の送信時間に基づいて選択される、請求項13に記載の方法。
【請求項１５】
前記PDUが、前記PDUの最も最近の送信時間に基づいて選択される、請求項13に記載の方法。
【請求項１６】
前記PDUのセットが、最も最近に送信されたものから最も過去に送信されたものへと順序付けられ、前記PDUインデックスを変更するステップが前記PDUインデックスを増分するステップを含む、請求項13に記載の方法。
【請求項１７】
前記PDUのセットが、最も過去に送信されたものから最も最近に送信されたものへと順序付けられ、前記PDUインデックスを変更するステップが前記PDUインデックスを減分するステップを含む、請求項13に記載の方法。
【請求項１８】
前記PDUのセットがランダムに順序付けられる、請求項13に記載の方法。
【請求項１９】
前記PDUのセットが、前記PDUの元の送信時間に基づいて順序付けられる、請求項13に記載の方法。
【請求項２０】
前記選択するステップが、タイマーの満了に応答するものである、請求項13に記載の方法。
【請求項２１】
前記再送信するステップが、タイマーの満了に応答するものである、請求項13に記載の方法。
【請求項２２】
前記受信デバイスに第2の複数のPDUを送信するステップと、
前記受信デバイスによって確認応答されていない前記PDUのセットに前記第2の複数のPDUを追加するステップとをさらに含む、請求項13に記載の方法。
【請求項２３】
前記第1および第2のポールインジケータのうちの少なくとも1つが、パケットヘッダフィールド内に1ビットを含む、請求項13に記載の方法。
【請求項２４】
ワイヤレス通信リンクを介して通信するように構成されたデバイスであって、
受信デバイスに複数のPDUを送信するための手段と、
前記受信デバイスによって確認応答されていないPDUのセットを順序付けるための手段と、
前記受信デバイスによって確認応答されていない前記PDUに割り当てられた番号であるPDUインデックスであって、前記順序付けられたセットおよび前記PDUインデックスに基づき、前記セットから第1のPDUを選択するための手段と、
第1のポールインジケータとともに選択された前記第1のPDUを再送信するための手段と、
前記PDUインデックスを変更されたPDUインデックスに変更するための手段と、
前記順序付けられたセットおよび前記変更されたPDUインデックスに基づいて、前記セットから前記第1のPDUと異なる第2のPDUを選択するための手段と、
第2のポールインジケータとともに選択された前記第2のPDUを再送信するための手段とを含む、デバイス。
【請求項２５】
選択するための前記手段が、前記PDUの元の送信時間に基づいて前記PDUを選択するように構成される、請求項24に記載のデバイス。
【請求項２６】
選択するための前記手段が、前記PDUの最も最近の送信時間に基づいて前記PDUを選択するように構成される、請求項24に記載のデバイス。
【請求項２７】
前記順序付けられた非確認応答PDUのリストが、最も過去に送信されたものから最も最近に送信されたものへと順序付けられ、前記PDUインデックスを変更するステップが前記PDUインデックスを増分するステップを含む、請求項24に記載のデバイス。
【請求項２８】
前記順序付けられた非確認応答PDUのリストが、最も最近に送信されたものから最も過去に送信されたものへと順序付けられ、前記PDUインデックスを変更するステップが前記PDUインデックスを減分するステップを含む、請求項24に記載のデバイス。
【請求項２９】
選択するための前記手段が、タイマーの満了に応答してPDUを選択するように構成される、請求項24に記載のデバイス。
【請求項３０】
再送信するための前記手段が、タイマーの満了に応答してPDUを再送信するように構成される、請求項24に記載のデバイス。
【請求項３１】
命令を記憶するコンピュータ可読記憶媒体であって、前記命令が、装置のプロセッサによって実行されると、前記装置に、
受信デバイスに複数のPDUを送信させ、
前記受信デバイスによって確認応答されていないPDUのセットを順序付けさせ、
前記受信デバイスによって確認応答されていない前記PDUに割り当てられた番号であるPDUインデックスであって、前記順序付けられたセットおよび前記PDUインデックスに基づき、前記セットから第1のPDUを選択させ、
第1のポールインジケータとともに選択された前記第1のPDUを再送信させ、
前記PDUインデックスを変更されたPDUインデックスに変更し、
前記順序付けられたセットおよび前記変更されたPDUインデックスに基づいて、前記セットから前記第1のPDUと異なる第2のPDUを選択させ、
第2のポールインジケータとともに選択された前記第2のPDUを再送信させる、
コンピュータ可読記憶媒体。
【請求項３２】
前記PDUが、前記PDUの元の送信時間に基づいて選択される、請求項31に記載のコンピュータ可読記憶媒体。
【請求項３３】
前記PDUが、前記PDUの最も最近の送信時間に基づいて選択される、請求項31に記載のコンピュータ可読記憶媒体。
【請求項３４】
前記確認応答されていないPDUが、最も最近でない送信時間から最も最近の送信時間へと順序付けられ、前記PDUインデックスを変更するステップが前記PDUインデックスを増分するステップを含む、請求項31に記載のコンピュータ可読記憶媒体。
【請求項３５】
前記確認応答されていないPDUが、最も最近の送信時間から最も最近でない送信時間へと順序付けられ、前記PDUインデックスを変更するステップが前記PDUインデックスを減分するステップを含む、請求項31に記載のコンピュータ可読記憶媒体。
【請求項３６】
前記確認応答されていないPDUがランダムに順序付けられる、請求項31に記載のコンピュータ可読記憶媒体。
【請求項３７】
前記選択するステップが、タイマーの満了に応答するものである、請求項31に記載のコンピュータ可読記憶媒体。
【請求項３８】
前記再送信するステップが、タイマーの満了に応答するものである、請求項31に記載のコンピュータ可読記憶媒体。
【請求項３９】
装置のプロセッサによって実行されると、前記装置に、
前記受信デバイスに第2の複数のPDUを送信させ、前記受信デバイスによって確認応答されていない前記PDUのセットに前記第2の複数のPDUを追加させる命令をさらに含む、請求項31に記載のコンピュータ可読記憶媒体。
【請求項４０】
前記第1および第2のポールインジケータのうちの少なくとも1つが、パケットヘッダフィールド内に1ビットを含む、請求項31に記載のコンピュータ可読記憶媒体。